(57)【要約】【課題】油などの液体の供給・回収場所の自由度を向上することのできる移動式供給・回収装置および液循環供給リサイクルシステムを提供する。【解決手段】床面ＦＬを移動可能な台車１２と、この台車１２に搭載された装置本体１４とを備えた移動式供給・回収装置１０であって、装置本体１４は、液体を供給および回収するために稼働するポンプ１６と、ポンプ１６に接続し、回収した液体を濾過するためのフィルター１８と、フィルター１８に接続し、液体を外部から回収するための回収ホース２０と、液体を外部に供給するための供給ホース２２と、ポンプ１６およびフィルター１８の動作を制御するための制御手段２４とを備えるようにする。【選択図】図１
2020163243.tif 000002
【特許請求の範囲】
【請求項１】
床面を移動可能な台車と、この台車に搭載された装置本体とを備えた移動式供給・回収装置であって、
装置本体は、液体を供給および回収するために稼働するポンプと、ポンプに接続し、回収した液体を濾過するためのフィルターと、フィルターに接続し、液体を外部から回収するための回収ホースと、液体を外部に供給するための供給ホースと、ポンプおよびフィルターの動作を制御するための制御手段とを備えることを特徴とする移動式供給・回収装置。
【請求項２】
液体をユースポイントに供給する供給モードと、液体をユースポイントから回収する回収モードとを有し、供給モードでは、外部に備わるタンクおよびポンプから、液体を供給ホースを介してユースポイントに供給する一方、回収モードではバルブ切替を行い、ポンプは、回収ホースを介してユースポイントから液体を吸込み、この液体をフィルターで濾過させてから供給ホースを介して外部に供給することを特徴とする移動式供給・回収装置。
【請求項３】
請求項１または２に記載の移動式供給・回収装置と、この移動式供給・回収装置を用いてユースポイントから回収した液体を再使用可能な液体に処理する処理手段とを備え、処理手段で処理された再使用可能な液体を移動式供給・回収装置を用いてユースポイントに供給することにより、液体を循環させることを特徴とする液循環供給リサイクルシステム。
【請求項４】
移動式供給・回収装置の供給ホースおよび回収ホースを接続するための配管を、床面よりも上方に設けたことを特徴とする請求項３に記載の液循環供給リサイクルシステム。
【発明の詳細な説明】
【技術分野】
【０００１】
本発明は、移動式供給・回収装置およびこの装置を用いた液循環供給リサイクルシステムに関するものである。
【背景技術】
【０００２】
従来、精密機械製作工場等で使用する切削油を供給、回収する方法として、床側溝内に設けた配管を通じてユースポイントに新油を供給するとともに、使用済の廃油を回収する方法を用いることがある。しかし、この方法は、複数のユースポイントで同時に実行できるものではなく、回収場所の設定の自由度が低いという問題があった。また、大規模精密機械製作工場等では、多数のユースポイントに対してドラム缶の搬出入から新油供給・廃油回収の全てを手作業で行う必要があり、多大な手間を要していた。また、使用後に回収した廃油には金属屑が含まれているので、廃油処理コストの増大を招いていた。さらに、床側溝内に埃が溜まり清掃性も悪いため、不衛生な作業環境となっていた。
【０００３】
一方、従来の廃油再生技術として、例えば特許文献１〜３に示すものが知られている。
特許文献１の廃油再生供給方法は、油種毎に分別して分別回収容器に廃油を回収する分別回収工程と、油種毎に準備された分別保管庫に、同じ油種の分別回収容器に貯留する廃油を集合させて回収して保管する分別保管工程と、予め設定された回収スケジュールに従って分別保管庫毎に貯留された廃油を回収する廃油回収工程と、回収した廃油を油種毎に精製して再生させる廃油再生工程と、精製して再生させた再生油と新油を混合して供給する油供給工程とを含むものである。
【０００４】
特許文献２の廃油再生装置は、廃油と白土を攪拌して白土に廃油中の酸化物を吸着させて脱色する攪拌槽、この攪拌槽より入った白土を濾過する廃油濾過槽、この廃油濾過槽より落下した廃油を溜める廃油精製槽、およびこの廃油精製槽内の廃油を静電濾過槽、廃油脱臭槽、廃油精製槽に循環させる電動ポンプにより構成されるものである。
【０００５】
特許文献３の廃油濾過装置は、密閉した処理タンクと、該処理タンク内に収容したメッシュフィルターと、処理タンク内に連通する廃油供給パイプと、処理タンク内の底部に連通する再生油吸引パイプと、該再生油吸引パイプを通じて処理タンク内の再生油を吸引して外部に排出する吸引ポンプから構成されるものである。
【先行技術文献】
【特許文献】
【０００６】
【特許文献１】特開２０１７−２１３５１２号公報
【特許文献２】特開平６−２９２８０６号公報
【特許文献３】特開２０１０−６９４０４号公報
【発明の概要】
【発明が解決しようとする課題】
【０００７】
本発明は、上記に鑑みてなされたものであって、油などの液体の供給・回収場所の自由度を向上することのできる移動式供給・回収装置および液循環供給リサイクルシステムを提供することを目的とする。
【課題を解決するための手段】
【０００８】
上記した課題を解決し、目的を達成するために、本発明に係る移動式供給・回収装置は、床面を移動可能な台車と、この台車に搭載された装置本体とを備えた移動式供給・回収装置であって、装置本体は、液体を供給および回収するために稼働するポンプと、ポンプに接続し、回収した液体を濾過するためのフィルターと、フィルターに接続し、液体を外部から回収するための回収ホースと、液体を外部に供給するための供給ホースと、ポンプおよびフィルターの動作を制御するための制御手段とを備えることを特徴とする。
【０００９】
また、本発明に係る他の移動式供給・回収装置は、上述した発明において、液体をユースポイントに供給する供給モードと、液体をユースポイントから回収する回収モードとを有し、供給モードでは、外部に備わるタンクおよびポンプから、液体を供給ホースを介してユースポイントに供給する一方、回収モードではバルブ切替を行い、ポンプは、回収ホースを介してユースポイントから液体を吸込み、この液体をフィルターで濾過させてから供給ホースを介して外部に供給することを特徴とする。
【００１０】
また、本発明に係る液循環供給リサイクルシステムは、上述した移動式供給・回収装置と、この移動式供給・回収装置を用いてユースポイントから回収した液体を再使用可能な液体に処理する処理手段とを備え、処理手段で処理された再使用可能な液体を移動式供給・回収装置を用いてユースポイントに供給することにより、液体を循環させることを特徴とする。
【００１１】
また、本発明に係る他の液循環供給リサイクルシステムは、上述した発明において、移動式供給・回収装置の供給ホースおよび回収ホースを接続するための配管を、床面よりも上方に設けたことを特徴とする。
【発明の効果】
【００１２】
本発明に係る移動式供給・回収装置によれば、床面を移動可能な台車と、この台車に搭載された装置本体とを備えた移動式供給・回収装置であって、装置本体は、液体を供給および回収するために稼働するポンプと、ポンプに接続し、回収した液体を濾過するためのフィルターと、フィルターに接続し、液体を外部から回収するための回収ホースと、液体を外部に供給するための供給ホースと、ポンプおよびフィルターの動作を制御するための制御手段とを備えるので、油や水などの液体の供給・回収場所の自由度を向上することができるという効果を奏する。
【００１３】
また、本発明に係る他の移動式供給・回収装置によれば、液体をユースポイントに供給する供給モードと、液体をユースポイントから回収する回収モードとを有し、供給モードでは、外部に備わるタンクおよびポンプから、液体を供給ホースを介してユースポイントに供給する一方、回収モードではバルブ切替を行い、例えば、吸引性能を高めるため回収ユースポイント近くに設置して、ポンプは、回収ホースを介してユースポイントから液体を吸込み、この液体をフィルターで濾過させてから供給ホースを介して外部に供給するので、液体の供給と回収の両方に使用することができるという効果を奏する。
【００１４】
また、本発明に係る液循環供給リサイクルシステムによれば、上述した移動式供給・回収装置と、この移動式供給・回収装置を用いてユースポイントから回収した液体を再使用可能な液体に処理する処理手段とを備え、処理手段で処理された再使用可能な液体を移動式供給・回収装置を用いてユースポイントに供給することにより、液体を循環させるので、精密機械製作工場などで使用する油や水などの液体を工場内で循環して再使用することができるという効果を奏する。
【００１５】
また、本発明に係る他の液循環供給リサイクルシステムによれば、移動式供給・回収装置の供給ホースおよび回収ホースを接続するための配管を、床面よりも上方に設けたので、床側溝に配管を設けた場合に比べて衛生環境を向上することができるという効果を奏する。
【図面の簡単な説明】
【００１６】
【図１】図１は、本発明に係る移動式供給・回収装置の実施の形態を示す側面図である。
【図２】図２は、本発明に係る移動式供給・回収装置の実施の形態を示す上面図である。
【図３】図３は、本発明に係る移動式供給・回収装置の実施の形態を示す前面図である。
【図４】図４は、本発明に係る移動式供給・回収装置および液循環供給リサイクルシステムの実施の形態を示す概念図である。
【発明を実施するための形態】
【００１７】
以下に、本発明に係る移動式供給・回収装置および液循環供給リサイクルシステムの実施の形態を図面に基づいて詳細に説明する。なお、この実施の形態によりこの発明が限定されるものではない。
【００１８】
（移動式供給・回収装置）
まず、本発明に係る移動式供給・回収装置の実施の形態について説明する。
図１〜図３に示すように、本実施の形態に係る移動式供給・回収装置１０は、床面ＦＬを移動可能な台車１２と、この台車１２に搭載された装置本体１４とを備えている。装置本体１４は、ポンプ１６と、フィルター１８と、回収ホース２０と、供給ホース２２と、ホースリール２３と、制御盤２４（制御手段）とを備える。
【００１９】
台車１２は、防振性能に優れた四角板状の台車本体２６と、台車本体２６の下面四隅に設けられた車輪２８と、台車本体２６の後部に立設したＵ字状の把持部３０とを備える手押し式の台車である。
【００２０】
ポンプ１６は、液体を回収するために稼働するものである。液体としては、本実施の形態では、切削油や一次純水などを想定しているが、本発明の液体はこれに限るものではない。このポンプ１６は、吸込み部にエアーが含まれても液体吸引が可能な機構を有している。なお、移動式供給・回収装置１０では、例えば、外部の地下タンク貯蔵所の近傍に設置したオイル供給ポンプを用いて液体を供給することができる。
【００２１】
フィルター１８は、回収した液体（例えば、廃油・廃純水）を濾過するためのものであり、本実施の形態では２つ設けられている。２つのフィルター１８は、それぞれ配管３２を通じてポンプ１６に接続している。フィルター１８としては、例えば外圧式フィルターを用いることができる。
【００２２】
回収ホース２０は、液体を外部から回収するためのものであり、配管３４を通じて２つのフィルター１８に接続している。この回収ホース２０は、台車本体２６の前部に立設した架台３６に巻付けられている。供給ホース２２は、液体を外部に供給するためのものであり、ポンプ１６に接続する配管３８に接続している。この配管３８の途中には切替バルブ２５が設けられており、供給ホース２２は、切替バルブ２５および配管２７を介して１５ｍ長のホースリール２３に接続している。ホースリール２３の末端を、外部から液体が供給される任意のバルブに接続するとともに、切替バルブ２５を操作してホースリール２３と供給ホース２２を連通状態に切り替えることで、供給ホース２２を通じて外部の液体を供給可能である。この供給ホース２２は、台車本体２６の側部に立設した架台４０に巻付けられている。回収ホース２０、供給ホース２２の長さは、各々３ｍ、３ｍ（ただし、ホースリール２３の１５ｍは除く）となっている。
【００２３】
制御盤２４は、ポンプ１６およびフィルター１８の動作を運転制御するためのものであり、図示しないインバータを備えている。また、ポンプ１６による外部タンクへの回収時は、同タンクが満液の場合にはポンプ１６を強制停止をするようなインターロック制御機構を備えている。
【００２４】
なお、配管３２、３４には、それぞれ図示しない開閉弁が設けられており、開閉弁の開度は全閉から全開の間の任意の開度に調整可能である。
【００２５】
この移動式供給・回収装置１０は、液体を外部に供給する供給モードと、液体を外部から回収する回収モードとを有している。供給モードでは、切替バルブ２５の操作とともに、外部のタンクおよび外部の供給ポンプからホースリール２３を通じて、液体を供給ホース２２を介してユースポイントに供給する。一方、回収モードでは、切替バルブ２５の操作を行い、ポンプ１６が回収ホース２０を介してユースポイントから使用済の液体を吸込み、この液体を２つのフィルター１８で濾過させてから供給ホース２２を介して外部のタンクに回収する。このように、移動式供給・回収装置１０は、液体の供給と回収の両方に使用することができる。特に、液体の回収の際にフィルター１８で濾過されるため、液体のリサイクルが可能となる。なお、本実施の形態では、回収ホース２０、供給ホース２２を工場内の配管や任意に設置した装置内蔵のタンクに接続することを想定しているが、本発明はこれに限るものではない。例えば、装置本体１４に供給用液体タンクまたは回収用液体タンクを備えてもよいし、移動式供給・回収装置１０のそばにタンクを搭載した台車を随行させてもよい。そして、こうしたタンクに回収ホース２０、供給ホース２２等の配管を適宜接続して、ポンプ１６を介して液体を吸込んだり、吐出させてもよい。
【００２６】
本実施の形態によれば、移動式供給・回収装置１０が台車１２で構成されるので、ユースポイントなどの必要箇所に人力で容易に移動することができる。また、台車１２にはポンプ１６、フィルター１８、回収ホース２０、供給ホース２２が搭載されているので、ユースポイントのそばで液体を供給・回収することができる。供給・回収場所が固定されないので、供給・回収場所の自由度を向上することができる。
【００２７】
また、大規模精密機械製作工場などでも同時に複数箇所で切削油や一次純水などの液体の供給・回収が可能になる。油や水をセントラルで供給・回収できるようになるため、手作業がなくなり、上記の従来のドラム缶方式と比較して作業効率を大幅に改善するとともに、ドラム缶搬出入時の油漏れ事故等のおそれをなくすことができる。なお、ドラム缶（２００Ｌ）×１缶を供給する場合、従来は約１５分要していたが、本実施の形態によれば約２分で済むことから、約８７％の作業効率の改善となる。また、切削油や一次純水をリサイクルすることができるため、産廃処理のコストを大きく削減することができる。
【００２８】
（液循環供給リサイクルシステム）
次に、本発明に係る循環供給リサイクルシステムの実施の形態について説明する。
図４に示すように、本実施の形態に係る液循環供給リサイクルシステム１００は、上述した移動式供給・回収装置１０と、図外の処理手段とを備えており、例えば精密機械製作工場に適用される。処理手段は、移動式供給・回収装置１０を用いてユースポイントから回収した油（液体）を再使用可能な油に処理するものである。処理手段で処理された再使用可能な油を移動式供給・回収装置１０を用いてユースポイントに供給することにより、油を工場内で循環して再使用することが可能である。
【００２９】
移動式供給・回収装置１０の供給ホース２２、回収ホース２０は、それぞれ工場内の供給用配管Ｐ１、回収用配管Ｐ２に接続可能となっている。配管Ｐ１、Ｐ２は、床面ＦＬよりも上方（例えば床面ＦＬから上方に５ｍ程度）に配置される。配管Ｐ１、Ｐ２を上方に配置することで、従来のように配管用の床側溝を設ける必要がなくなる。床側溝が不要となるので、埃が溜まらなくなり、従来方式に比べて衛生環境を向上することができる。同時に、配管Ｐ１、Ｐ２からの油の漏洩等を常時目視確認できるため、設備安全面の改善を図ることができる。
【００３０】
回収ホース２０は、油槽Ｔに直接差し込むこともできる。この場合、油槽Ｔの上部から油Ｌの中に回収ホース２０を差し、ポンプ１６を稼働して油Ｌを吸い上げる。吸い上げた油は回収ホース２０を通りフィルター１８で濾過されてから、供給ホース２２を通じて外部（例えば、上記の処理手段）に供給される。この動作は、油槽Ｔにエアー溜まりがあっても正常に機能する。
【００３１】
本実施の形態によれば、移動式供給・回収装置１０をユースポイントなどの必要箇所に人力で容易に移動することができる。供給・回収場所が固定されないので、供給・回収場所の自由度を向上することができる。また、大規模精密機械製作工場などでも同時に複数箇所で切削油や一次純水などの液体の供給・回収が可能になる。油や水をセントラルで供給・回収できるようになるため、手作業がなくなり、上記の従来のドラム缶方式と比較して作業効率を大幅に改善するとともに、ドラム缶搬出入時の油漏れ事故等のおそれをなくすことができる。また、切削油や一次純水をリサイクルすることができるため、産廃処理のコストを大きく削減することができる。
【００３２】
以上説明したように、本発明に係る移動式供給・回収装置によれば、床面を移動可能な台車と、この台車に搭載された装置本体とを備えた移動式供給・回収装置であって、装置本体は、液体を供給および回収するために稼働するポンプと、ポンプに接続し、回収した液体を濾過するためのフィルターと、フィルターに接続し、液体を外部から回収するための回収ホースと、液体を外部に供給するための供給ホースと、ポンプおよびフィルターの動作を制御するための制御手段とを備えるので、油や水などの液体の供給・回収場所の自由度を向上することができる。
【００３３】
また、本発明に係る他の移動式供給・回収装置によれば、液体をユースポイントに供給する供給モードと、液体をユースポイントから回収する回収モードとを有し、供給モードでは、外部に備わるタンクおよびポンプから、液体を供給ホースを介してユースポイントに供給する一方、回収モードではバルブ切替を行い、ポンプは、回収ホースを介してユースポイントから液体を吸込み、この液体をフィルターで濾過させてから供給ホースを介して外部に供給するので、液体の供給と回収の両方に使用することができる。
【００３４】
また、本発明に係る液循環供給リサイクルシステムによれば、上述した移動式供給・回収装置と、この移動式供給・回収装置を用いてユースポイントから回収した液体を再使用可能な液体に処理する処理手段とを備え、処理手段で処理された再使用可能な液体を移動式供給・回収装置を用いてユースポイントに供給することにより、液体を循環させるので、精密機械製作工場などで使用する油や水などの液体を工場内で循環して再使用することができる。
【００３５】
また、本発明に係る他の液循環供給リサイクルシステムによれば、移動式供給・回収装置の供給ホースおよび回収ホースを接続するための配管を、床面よりも上方に設けたので、床側溝に配管を設けた場合に比べて衛生環境を向上することができる。
【産業上の利用可能性】
【００３６】
以上のように、本発明に係る移動式供給・回収装置および液循環供給リサイクルシステムは、精密機械製作工場等で使用する切削油を供給、回収するシステムに有用であり、特に、油や水などの液体の供給・回収場所の自由度を向上するのに適している。
【符号の説明】
【００３７】
１０  移動式供給・回収装置
１２  台車
１４  装置本体
１６  ポンプ
１８  フィルター
２０  回収ホース
２２  供給ホース
２４  制御盤（制御手段）
２６  台車本体
２８  車輪
３０  把持部
３２，３４，３８  配管
３６，４０  架台
１００  液循環供給リサイクルシステム
ＦＬ  床面
Ｌ  油
Ｐ１，Ｐ２  配管
Ｔ  油槽
【図１】
2020163243.tif 000003
【図２】
2020163243.tif 000004
【図３】
2020163243.tif 000005
【図４】
2020163243.tif 000006